(57)【要約】【課題】ファクシミリ受信したデータを転送先の装置に転送することが失敗し、当該データを当該転送先の装置に再転送する場合において、当該転送先の装置との通信の可否を一定期間毎に確認する場合と比べて、通信量を減らす。【解決手段】  受信手段によってデータがファクシミリ受信され、当該データが転送先の装置に転送される。その転送が失敗した場合、当該データは記憶手段に記憶される。データの転送が失敗した後、自装置である情報処理装置が利用された場合、記憶手段に記憶されているデータが転送先の装置に転送される。【選択図】図７
2020191562.tif 000002
【特許請求の範囲】
【請求項１】
ファクシミリ受信する受信手段と、
前記受信手段がファクシミリ受信したデータを転送先の装置に転送する転送手段と、
前記転送手段による前記データの転送が失敗した場合、前記データを記憶手段に記憶させる記憶制御手段と、
を有し、
前記データの転送が失敗した後に、当該情報処理装置が利用された場合、前記転送手段は、前記記憶手段に記憶されている前記データを前記転送先の装置に転送する、
情報処理装置。
【請求項２】
当該情報処理装置が利用された場合とは、当該情報処理装置がユーザによって操作された場合である、
ことを特徴とする請求項１に記載の情報処理装置。
【請求項３】
当該情報処理装置がユーザによって操作された場合とは、前記ユーザが当該情報処理装置にログインした場合である、
ことを特徴とする請求項２に記載の情報処理装置。
【請求項４】
前記ユーザは、前記転送先の装置を利用するユーザである、
ことを特徴とする請求項２又は請求項３に記載の情報処理装置。
【請求項５】
当該情報処理装置が利用された場合とは、電力状態が節電状態である当該情報処理装置がユーザによって操作されて節電状態が解除された場合である、
ことを特徴とする請求項１に記載の情報処理装置。
【請求項６】
当該情報処理装置が利用された場合とは、当該情報処理装置が外部装置から情報を受信した場合である、
ことを特徴とする請求項１に記載の情報処理装置。
【請求項７】
前記情報は、当該情報処理装置を前記外部装置から操作するための操作情報を含む、
ことを特徴とする請求項６に記載の情報処理装置。
【請求項８】
画像処理を実行する画像処理手段を更に有し、
前記操作情報は、前記画像処理手段によって実行される画像処理の実行指示を示す情報を含む、
ことを特徴とする請求項７に記載の情報処理装置。
【請求項９】
前記外部装置は、前記転送先の装置である、
ことを特徴とする請求項６から請求項８のいずれか一項に記載の情報処理装置。
【請求項１０】
前記外部装置は、当該情報処理装置を含む特定組織のみによる利用が許可されたネットワークに属する装置である、
ことを特徴とする請求項６から請求項９のいずれか一項に記載の情報処理装置。
【請求項１１】
ファクシミリ受信する受信手段を有する装置を制御するコンピュータを、
前記受信手段がファクシミリ受信したデータを転送先の装置に転送する転送手段、
前記転送手段による前記データの転送が失敗した場合、前記データを記憶手段に記憶させる記憶制御手段、
として機能させ、
前記データの転送が失敗した後、前記装置が利用された場合、前記転送手段は、前記記憶手段に記憶されている前記データを前記転送先の装置に転送する、
プログラム。
【発明の詳細な説明】
【技術分野】
【０００１】
本発明は、情報処理装置及びプログラムに関する。
【背景技術】
【０００２】
ファクシミリ通信機能を有する装置が、ファクシミリ受信したデータをパーソナルコンピュータやサーバ等の他の装置に転送する場合がある。
【０００３】
特許文献１には、ファクシミリにより受信したデータを情報処理端末に転送する複合機が記載されている。複合機は、予め定められた周期でＡＲＰ要求を情報処理端末に送信する。情報処理端末からのＡＲＰ応答が受信された場合、複合機は、情報処理端末が稼働中であると判定して、データを情報処理端末に送信する。
【先行技術文献】
【特許文献】
【０００４】
【特許文献１】特開２０１１−２１７１５６号公報
【発明の概要】
【発明が解決しようとする課題】
【０００５】
ところで、データの転送先の装置の状況に起因して、データの転送が失敗する場合がある。例えば、転送先の装置の電源がオフになっている場合には、データの転送が失敗する。データの転送が失敗した場合、転送元の装置であるファクシミリ通信機能を有する装置に当該データが記憶され、当該データの再転送処理が実行されることがある。再転送処理を実行する場合に、転送先の装置との通信の可否を一定期間毎に確認し、転送先の装置との通信が可能な場合に、当該データを転送先の装置に送信することが考えられる。しかし、転送先の装置との通信が不可能である場合にも通信の可否を一定期間毎に行うと、無駄な通信が発生し、その分、通信量が増える。
【０００６】
本発明の目的は、ファクシミリ受信したデータを転送先の装置に転送することが失敗し、当該データを当該転送先の装置に再転送する場合において、当該転送先の装置との通信の可否を一定期間毎に確認する場合と比べて、通信量を減らすことにある。
【課題を解決するための手段】
【０００７】
請求項１に係る発明は、ファクシミリ受信する受信手段と、前記受信手段がファクシミリ受信したデータを転送先の装置に転送する転送手段と、前記転送手段による前記データの転送が失敗した場合、前記データを記憶手段に記憶させる記憶制御手段と、を有し、前記データの転送が失敗した後に、当該情報処理装置が利用された場合、前記転送手段は、前記記憶手段に記憶されている前記データを前記転送先の装置に転送する、情報処理装置である。
【０００８】
請求項２に係る発明は、当該情報処理装置が利用された場合とは、当該情報処理装置がユーザによって操作された場合である、ことを特徴とする請求項１に記載の情報処理装置である。
【０００９】
請求項３に係る発明は、当該情報処理装置がユーザによって操作された場合とは、前記ユーザが当該情報処理装置にログインした場合である、ことを特徴とする請求項２に記載の情報処理装置である。
【００１０】
請求項４に係る発明は、前記ユーザは、前記転送先の装置を利用するユーザである、ことを特徴とする請求項２又は請求項３に記載の情報処理装置である。
【００１１】
請求項５に係る発明は、当該情報処理装置が利用された場合とは、電力状態が節電状態である当該情報処理装置がユーザによって操作されて節電状態が解除された場合である、ことを特徴とする請求項１に記載の情報処理装置である。
【００１２】
請求項６に係る発明は、当該情報処理装置が利用された場合とは、当該情報処理装置が外部装置から情報を受信した場合である、ことを特徴とする請求項１に記載の情報処理装置である。
【００１３】
請求項７に係る発明は、前記情報は、当該情報処理装置を前記外部装置から操作するための操作情報を含む、ことを特徴とする請求項６に記載の情報処理装置である。
【００１４】
請求項８に係る発明は、画像処理を実行する画像処理手段を更に有し、前記操作情報は、前記画像処理手段によって実行される画像処理の実行指示を示す情報を含む、ことを特徴とする請求項７に記載の情報処理装置である。
【００１５】
請求項９に係る発明は、前記外部装置は、前記転送先の装置である、ことを特徴とする請求項６から請求項８のいずれか一項に記載の情報処理装置である。
【００１６】
請求項１０に係る発明は、前記外部装置は、当該情報処理装置を含む特定組織のみによる利用が許可されたネットワークに属する装置である、ことを特徴とする請求項６から請求項９のいずれか一項に記載の情報処理装置である。
【００１７】
請求項１１に係る発明は、ファクシミリ受信する受信手段を有する装置を制御するコンピュータを、前記受信手段がファクシミリ受信したデータを転送先の装置に転送する転送手段、前記転送手段による前記データの転送が失敗した場合、前記データを記憶手段に記憶させる記憶制御手段、として機能させ、前記データの転送が失敗した後、前記装置が利用された場合、前記転送手段は、前記記憶手段に記憶されている前記データを前記転送先の装置に転送する、プログラムである。
【発明の効果】
【００１８】
請求項１，５，１１に係る発明によれば、ファクシミリ受信したデータを転送先の装置に転送することが失敗し、当該データを当該転送先の装置に再転送する場合において、当該転送先の装置との通信の可否を一定期間毎に確認する場合と比べて、通信量が減る。
【００１９】
請求項２に係る発明によれば、情報処理装置がユーザによって操作されていない場合にもデータを再転送する場合と比べて、再転送が失敗する可能性が低くなる。
【００２０】
請求項３に係る発明によれば、ユーザが情報処理装置にログインしていない場合にもデータを再転送する場合と比べて、再転送が失敗する可能性が低くなる。
【００２１】
請求項４に係る発明によれば、転送先の装置を利用するユーザによって情報処理装置が操作されていない場合にもデータを再転送する場合と比べて、再転送が失敗する可能性が低くなる。
【００２２】
請求項６，７に係る発明によれば、情報処理装置が外部装置から情報を受信していない場合にもデータを再転送する場合と比べて、再転送が失敗する可能性が低くなる。
【００２３】
請求項８に係る発明によれば、情報処理装置が外部装置から操作情報を受信していない場合にもデータを再転送する場合と比べて、再転送が失敗する可能性が低くなる。
【００２４】
請求項９に係る発明によれば、情報処理装置が転送先の装置から情報を受信していない場合にもデータを再転送する場合と比べて、再転送が失敗する可能性が低くなる。
【００２５】
請求項１０に係る発明によれば、情報処理装置が、当該情報処理装置を含む特定組織のみによる利用が許可されたネットワークに属さない装置から情報を受信した場合にもデータを再転送する場合と比べて、再転送が失敗する可能性が低くなる。
【図面の簡単な説明】
【００２６】
【図１】本実施形態に係る情報処理システムの構成を示すブロック図である。
【図２】本実施形態に係る画像処理装置の構成を示すブロック図である。
【図３】サーバの構成を示すブロック図である。
【図４】端末装置の構成を示すブロック図である。
【図５】ユーザ管理テーブルを示す図である。
【図６】転送先管理テーブルを示す図である。
【図７】実施例１に係る処理の流れを示すフローチャートを示す図である。
【図８】実施例２に係る処理の流れを示すフローチャートを示す図である。
【発明を実施するための形態】
【００２７】
以下、図１を参照して、本実施形態に係る情報処理システムについて説明する。図１には、本実施形態に係る情報処理システムの構成の一例が示されている。
【００２８】
本実施形態に係る情報処理システムは、１又は複数の画像処理装置１０と、１又は複数のサーバ１２と、１又は複数の端末装置１４とを含む。情報処理システムは、これら以外の装置を含んでもよい。
【００２９】
画像処理装置１０、サーバ１２及び端末装置１４は、通信経路Ｎを介して他の装置と通信してもよい。通信経路Ｎは、例えば、ＬＡＮ（Local Area Network）等のネットワークやインターネット等である。通信経路Ｎは、有線通信によって構築されてもよいし、Ｗｉ−Ｆｉ（登録商標）等の無線通信によって構築されてもよい。また、画像処理装置１０、サーバ１２及び端末装置１４は、通信経路Ｎを介さずに近距離無線通信等によって他の装置と通信してもよい。近距離無線通信は、例えば、Ｂｌｕｅｔｏｏｔｈ（登録商標）やＲＦＩＤ（Radio Frequency Identifier）やＮＦＣ等である。
【００３０】
画像処理装置１０は、情報処理装置の一例に相当する装置であって、少なくとも、ファクシミリ通信機能を有する装置である。画像処理装置１０は、ファクシミリ通信専用のファクシミリ装置であってもよいし、印刷機能や複写機能等をも有する複合機であってもよい。
【００３１】
サーバ１２は、ユーザに関する情報を管理する装置である。例えば、ユーザを識別するためのユーザ識別情報と、当該ユーザによって利用されるユーザ記憶領域の所在を示すユーザ記憶領域情報とが対応付けられて、サーバ１２にて管理されている。例えば、ユーザ毎にユーザ記憶領域が形成されて、ユーザ毎に、ユーザ識別情報とユーザ記憶領域情報とが対応付けられて管理される。ユーザ記憶領域は、主に、当該ユーザ記憶領域に対応付けられているユーザによって利用されることが想定されている記憶領域である。もちろん、ユーザ記憶領域は、当該ユーザ以外の他のユーザによって利用されてもよい。ユーザ記憶領域は、当該ユーザ記憶領域に対応付けられているユーザが利用する端末装置１４に形成されてもよいし、それ以外の端末装置１４に形成されてもよいし、サーバ１２やその他の装置に形成されてもよい。ユーザ識別情報は、例えば、ユーザＩＤや氏名やアカウントや電子メールアドレス等である。ユーザ記憶領域情報は、例えば、ユーザ記憶領域のパスやアドレス等を示す情報である。
【００３２】
端末装置１４は、例えば、パーソナルコンピュータ（以下、「ＰＣ」と称する）、タブレットＰＣ、スマートフォン又は携帯電話等の装置である。
【００３３】
以下、図２を参照して、画像処理装置１０の構成について詳しく説明する。図２には、画像処理装置１０の構成の一例が示されている。
【００３４】
ファクシミリ通信部１６は、ファクシミリ通信規格に従って、通信回線を介してファクシミリデータをファクシミリ通信するように構成されている。ファクシミリ通信部１６は、例えば、ファクシミリデータを宛先にファクシミリ送信する機能、及び、送信元である他の装置からファクシミリ送信されてきたファクシミリデータをファクシミリ受信する機能を有する。ファクシミリ規格として、例えば、Ｇ３、Ｇ４、ＩＰファックス、又は、インターネットファックス等が用いられてもよい。もちろん、これら以外の規格が用いられてもよい。ファクシミリデータは、画像データを含むデータである。
【００３５】
画像読取部１８は、スキャナやカメラ等であって、原稿を読み取ることで当該原稿を表す画像データを生成するように構成されている。例えば、ファクシミリ送信対象の原稿が画像読取部１８によって読み取られることで、当該原稿を表す画像データが生成される。当該画像データを含むファクシミリデータが、ファクシミリ通信部１６によって宛先にファクシミリ送信される。
【００３６】
印刷部２０は、プリンタであって、印刷対象の画像データに基づく画像を、用紙等の記録媒体に印刷するように構成されている。例えば、ファクシミリ通信部１６がファクシミリデータをファクシミリ受信した場合、印刷部２０は、当該ファクシミリデータに基づく画像を用紙に印刷する。
【００３７】
なお、画像読取部１８や印刷部２０が、画像処理手段の一例に相当する。
【００３８】
通信部２２は通信インターフェースであって、他の装置に情報を送信する機能、及び、他の装置から情報を受信する機能を有する。通信部２２は、Ｗｉ−Ｆｉ等の無線通信機能を有していてもよいし、有線通信機能を有していてもよい。通信部２２は、例えば、通信経路Ｎを介して、他の装置と通信してもよいし、近距離無線通信等を利用することで他の装置と通信してもよい。
【００３９】
また、通信部２２は、転送手段の一例に相当し、ファクシミリ通信部１６によってファクシミリ受信されたファクシミリデータを転送先に転送するように構成されている。通信部２２は、ファクシミリ通信部１６によってファクシミリ受信されたファクシミリデータそのものを転送先に転送してもよいし、ファクシミリデータのデータ形式が他のデータ形式に変換された場合には、変換後のデータ形式を有するデータを転送先に転送してもよいし、ファクシミリデータが加工された場合には、加工後のデータを転送先に転送してもよい。
【００４０】
転送先は、予め指定されていてもよいし、ユーザによって指定されてもよい。転送先として、装置が指定されてもよいし、装置が有する記憶領域が指定されてもよい。例えば、転送先として、端末装置１４が指定されてもよいし、端末装置１４が有する記憶領域が指定されてもよいし、端末装置１４以外の他の装置（例えばサーバ１２等の装置）が指定されてもよいし、当該他の装置が有する記憶領域が指定されてもよい。
【００４１】
通信部２２は、例えば、ファクシミリデータの転送機能がオンになっている場合に、ファクシミリデータを転送先に転送し、ファクシミリデータの転送機能がオフになっている場合に、ファクシミリデータを転送先に転送しなくてもよい。転送機能がオフになっていることで転送先に転送されなかったファクシミリデータは、画像処理装置１０から削除されてもよいし、未転送のファクシミリデータとして記憶部２６に記憶されてもよい。なお、未転送のファクシミリデータが記憶部２６に記憶されている場合において、転送機能がオンになった場合、未転送のファクシミリデータが転送先に転送されてもよい。もちろん、通信部２２は、転送機能の設定に関わらず、ファクシミリデータを転送先に転送してもよい。
【００４２】
また、通信部２２は、ファクシミリデータの転送が失敗した場合に、当該ファクシミリデータを転送先に再転送するように構成されている。例えば、ファクシミリデータの転送が失敗した場合、当該ファクシミリデータは記憶部２６に記憶される。ファクシミリデータの転送が失敗した後に、画像処理装置１０が利用された場合、通信部２２は、記憶部２６に記憶されている未転送のファクシミリデータを転送先に転送する。
【００４３】
例えば、転送先の装置の電源がオフになっている場合、転送先の装置は、画像処理装置１０から転送されてきたファクシミリデータを受信できないため、ファクシミリデータの転送は失敗する。もちろん、通信障害やその他の原因によって、ファクシミリデータの転送が失敗することもあり得る。なお、転送機能がオフになっていることによってファクシミリデータが転送先に転送されないことは、ファクシミリデータの転送の失敗の概念の範疇には含まれない。
【００４４】
ＵＩ部２４はユーザインターフェース部であって、表示部と操作部とを含む。表示部は、液晶ディスプレイ等の表示装置である。操作部は、キーボードや入力キーや操作パネル等の入力装置である。ＵＩ部２４は、表示部と操作部とを兼ね備えたタッチパネル等のＵＩ部であってもよい。
【００４５】
記憶部２６は、各種の情報を記憶する１又は複数の記憶領域である。各記憶領域は、例えば、画像処理装置１０に設けられている１又は複数の記憶装置（例えばハードディスクドライブやメモリ等の物理ドライブ）によって構成されている。例えば、ファクシミリ送信対象のファクシミリデータや、ファクシミリ受信されたファクシミリデータ等が、記憶部２６に記憶されてもよい。
【００４６】
記憶部２６には、転送先へのファクシミリデータの転送が失敗したときに未転送の当該ファクシミリデータが記憶される記憶領域が形成される。ここでは、未転送のファクシミリデータが記憶される記憶領域を「ボックス」と称することとする。なお、記憶領域は、一般的にフォルダと称されることもある。記憶部２６には、１又は複数のボックスが形成される。
【００４７】
また、記憶部２６には、転送先管理情報が記憶されている。転送先管理情報は、ボックス毎に、ボックスを識別するためのボックス識別情報と転送先情報との対応付けを示す情報である。ボックス識別情報は、例えば、ボックスＩＤやボックス名等を示す情報である。転送先情報は、当該ボックスに記憶されている未転送のファクシミリデータの転送先の所在を示す情報であって、例えば、転送先のパスやアドレス等を示す情報である。例えば、転送先が、端末装置１４が有する記憶領域である場合、転送先情報は、当該記憶領域のパスを示す情報である。
【００４８】
認証部２８は、画像処理装置１０を利用するユーザを認証するように構成されている。認証部２８は、例えば、ユーザが画像処理装置１０にログインするときに認証を行う。認証部２８は、認証が成功した場合、画像処理装置１０へのログインを許可し、認証が成功しない場合、画像処理装置１０へのログインを許可しない。例えば、各ユーザの認証情報が、記憶部２６や認証サーバ等に予め記憶されており、認証部２８は、画像処理装置１０に入力された認証情報と、予め記憶されている認証情報とを照合することで、ユーザを認証する。認証情報は、例えば、ユーザ識別情報やパスワードやユーザの生体情報等である。
【００４９】
制御部３０は、画像処理装置１０の各部の動作を制御するように構成されている。また、制御部３０は、記憶制御部３２と、電力制御部３４と、転送制御部３６とを含む。
【００５０】
記憶制御部３２は、転送先へのファクシミリデータの転送が失敗したときに当該ファクシミリデータをボックスに記憶させるように構成されている。当該ボックスは、予め定められたボックスであってもよいし、ユーザによって指定されたボックスであってもよい。
【００５１】
電力制御部３４は、画像処理装置１０の電力を制御するように構成されている。例えば、予め定められた節電条件が満たされた場合、電力制御部３４は、画像処理装置１０の電力状態を節電状態に移行する。例えば、予め定められた時間以上にわたって画像処理装置１０が利用されていない場合、電力状態は節電状態に移行する。節電状態においては、画像処理装置１０の一部の機能が停止する。例えば、ＵＩ部２４の表示部が消灯したり、制御部３０の一部の機能が停止したり、通信部２２の一部の機能が停止したりする。節電状態においても、ファクシミリ通信部１６は、他の装置からファクシミリ送信されてきたファクシミリデータをファクシミリ受信する。また、節電解除条件が満たされた場合、電力制御部３４は、画像処理装置１０の節電状態を解除する。例えば、画像処理装置１０が利用された場合、節電状態は解除される。
【００５２】
転送制御部３６は、ファクシミリデータが転送先に転送されるように、通信部２２を制御するように構成されている。また、ファクシミリデータの転送が失敗した後に、画像処理装置１０が利用された場合、転送制御部３６は、通信部２２に、ボックスに記憶されている未転送のファクシミリデータを転送先に転送させる。つまり、転送制御部３６は、通信部２２に再転送を実行させる。
【００５３】
ここで、画像処理装置１０が利用された場合とは、例えば、画像処理装置１０自体が利用された場合や、画像処理装置１０が外部装置と通信した場合等である。
【００５４】
画像処理装置１０自体が利用された場合とは、例えば、画像処理装置１０自体が操作された場合や、画像処理装置１０に設けられている人感センサによるユーザの検知等のように、ユーザとは非接触ではあるがユーザが画像処理装置１０の周辺に存在することが検知された場合等である。画像処理装置１０自体の操作の概念の範疇には、例えば、ＵＩ部２４を用いた操作や、画像処理装置１０に設けられているボタンの押下といった画像処理装置１０に対するユーザの接触を伴う行為が含まれる。具体的には、画像処理装置１０へのログインや、画像処理装置１０を用いた画像処理を行うための操作等が、ＵＩ部２４を用いた操作やボタンの押下の一例に該当する。ここでの画像処理は、例えば、画像読取部１８による画像読取や、画像読取部１８及び印刷部２０による複写や、画像読取によって生成された画像データを他の装置に転送する処理や、ファクシミリ通信部１６によるファクシミリ送信等である。画像処理装置１０自体が操作された場合、転送先の装置（例えば端末装置１４やサーバ１２等）の電源がオンになっている確度が高いと推測されるため、転送制御部３６は、通信部２２に未転送のファクシミリデータを転送先に転送させる。
【００５５】
画像処理装置１０が外部装置と通信した場合とは、例えば、通信部２２が外部装置から情報を受信した場合である。当該情報は、例えば、画像処理装置１０を外部装置から操作するための操作情報を含む。画像処理装置１０を外部装置から操作することとは、例えば、画像処理装置１０による画像処理の実行を外部装置から指示することや、画像処理装置１０が提供するサービスに外部装置がアクセスすること等である。また、画像処理装置１０を外部装置から操作するという概念の範疇には、画像処理装置１０と外部装置との間で実行される定期的な通信（つまり、予め定められた時間間隔で実行される通信）は含まれず、不定期な通信（つまり定期的ではない通信）が含まれてもよい。例えば、画像処理装置１０とメンテナンス装置との間で定期的に実行される、メンテナンスのための通信は、画像処理装置１０を外部装置から操作するという概念の範疇に含まれなくてもよい。つまり、画像処理装置１０が外部装置と通信したとは、外部装置を利用するユーザからの画像処理装置１０に対する明示的な指示や通信が発生したことである。操作情報は、例えば、画像処理の実行指示を示す情報や、サービスへのアクセスを要求する情報等を含み、不定期な通信によって外部装置から画像処理装置１０に送信される。画像処理は、例えば印刷部２０による印刷であり、この場合の操作情報は、印刷の実行指示を示す情報を含む。例えば、印刷ジョブ情報が操作情報の一例に該当する。印刷ジョブ情報は、印刷対象となる画像データ、印刷設定情報、及び、印刷の実行指示を示す情報等を含む。サービスは、例えば、画像処理装置１０にて実行予定の処理の一覧（例えば、印刷ジョブ等の一覧）を、外部装置にてＷｅｂブラウザ上に表示することである。この場合の操作情報は、一覧の表示を要求する情報を含む。
【００５６】
上記の外部装置は、ファクシミリデータの転送先の装置であってもよい。つまり、画像処理装置１０が転送先の装置と通信した場合に、転送制御部３６は、通信部２２に、ボックスに記憶されている未転送のファクシミリデータを転送先に転送させてもよい。例えば、転送先の装置を識別するための識別情報が、転送先の装置から画像処理装置１０に送信され、転送制御部３６は、当該識別情報を参照することで、画像処理装置１０と通信している装置が転送先の装置であることを認識する。通信部２２が転送先の装置から情報を受信した場合、転送先の装置の電源がオンになっていると推測されるため、転送制御部３６は、通信部２２に未転送のファクシミリデータを転送先に転送させる。
【００５７】
上記の外部装置は、画像処理装置１０を含む特定組織のみによる利用が許可されたネットワークに属する装置であってもよい。当該ネットワークは、例えばイントラネットである。例えば、画像処理装置１０が、当該画像処理装置１０と同一のイントラネットに属する外部装置と通信した場合、転送制御部３６は、通信部２２に、ボックスに記憶されている未転送のファクシミリデータを転送先に転送させる。一方、画像処理装置１０が、当該画像処理装置１０が属するイントラネットには属さない外部装置と通信した場合、転送制御部３６は、通信部２２に、ボックスに記憶されている未転送のファクシミリデータを転送先に転送させない。例えば、通信部２２が、画像処理装置１０と同一のイントラネットに属する外部装置から上記の操作情報を受信した場合、転送制御部３６は、通信部２２に、ボックスに記憶されている未転送のファクシミリデータを転送先に転送させる。一方、ファクシミリ通信部１６が、自装置である画像処理装置１０が属するイントラネットに属さない外部装置からファクシミリデータをファクシミリ受信した場合、転送制御部３６は、通信部２２に、ボックスに記憶されている未転送のファクシミリデータを転送先に転送させない。画像処理装置１０と同一のイントラネットに属する外部装置は、画像処理装置１０と同一のイントラネットに属さない外部装置と比べて、転送先の装置である可能性が高いと推測される。画像処理装置１０が、当該画像処理装置１０と同一のイントラネットに属する外部装置と通信した場合、転送先の装置の電源がオンになっている可能性が高いため、転送制御部３６は、通信部２２に、ボックスに記憶されている未転送のファクシミリデータを転送先に転送させる。
【００５８】
以下、図３を参照して、サーバ１２の構成について詳しく説明する。図３には、サーバ１２の構成の一例が示されている。
【００５９】
通信部３８は通信インターフェースであって、他の装置に情報を送信する機能、及び、他の装置から情報を受信する機能を有する。通信部３８は、Ｗｉ−Ｆｉ等の無線通信機能を有していてもよいし、有線通信機能を有していてもよい。通信部３８は、例えば、通信経路Ｎを介して、他の装置と通信してもよいし、近距離無線通信等を利用することで他の装置と通信してもよい。
【００６０】
記憶部４０は、各種の情報を記憶する１又は複数の記憶領域である。各記憶領域は、例えば、サーバ１２に設けられている１又は複数の記憶装置（例えばハードディスクドライブやメモリ等の物理ドライブ）によって構成されている。
【００６１】
記憶部４０には、ユーザ管理情報が記憶されている。ユーザ管理情報は、ユーザ毎に、ユーザによって利用されるユーザ記憶領域の所在を管理するための情報である。具体的には、ユーザ管理情報は、ユーザ毎に、ユーザを識別するためのユーザ識別情報と、当該ユーザによって利用されるユーザ記憶領域の所在を示すユーザ記憶領域情報との対応付けを示す情報である。各ユーザのユーザ識別情報とユーザ記憶領域情報は、ユーザ管理情報に予め登録される。なお、ユーザ管理情報は、画像処理装置１０の記憶部２６に記憶されていてもよい。この場合、ユーザ管理情報は、サーバ１２の記憶部４０に記憶されなくてもよいし、サーバ１２は情報処理システムに含まれなくてもよい。
【００６２】
制御部４２は、サーバ１２の各部の動作を制御するように構成されている。
【００６３】
以下、図４を参照して、端末装置１４の構成について説明する。図４には、端末装置１４の構成の一例が示されている。
【００６４】
通信部４４は通信インターフェースであって、他の装置に情報を送信する機能、及び、他の装置から情報を受信する機能を有する。通信部４４は、Ｗｉ−Ｆｉ等の無線通信機能を有していてもよいし、有線通信機能を有していてもよい。通信部４４は、例えば、通信経路Ｎを介して、他の装置と通信してもよいし、近距離無線通信等を利用することで他の装置と通信してもよい。
【００６５】
ＵＩ部４６はユーザインターフェース部であって、表示部と操作部とを含む。表示部は、液晶ディスプレイ等の表示装置である。操作部は、キーボードや入力キーや操作パネル等の入力装置である。ＵＩ部４６は、表示部と操作部とを兼ね備えたタッチパネル等のＵＩ部であってもよい。
【００６６】
記憶部４８は、各種の情報を記憶する１又は複数の記憶領域である。各記憶領域は、例えば、端末装置１４に設けられている１又は複数の記憶装置（例えばハードディスクドライブやメモリ等の物理ドライブ）によって構成されている。
【００６７】
制御部５０は、端末装置１４の各部の動作を制御するように構成されている。
【００６８】
以下、本実施形態に係る情報処理システムについて更に詳しく説明する。
【００６９】
図５を参照して、ユーザ管理情報の一例について説明する。図５には、ユーザ管理情報の一例であるユーザ管理テーブルの一例が示されている。ユーザ管理テーブルは、サーバ１２の記憶部４０に記憶されている。
【００７０】
ユーザ管理テーブルにおいては、ユーザ毎に、ユーザＩＤとユーザ記憶領域のパス情報とが対応付けられている。ユーザＩＤは、ユーザ識別情報の一例である。ユーザ記憶領域のパス情報は、ユーザ記憶領域情報の一例であって、ユーザ記憶領域の所在であるパスを示す情報である。ユーザ記憶領域のパスは、例えば、当該ユーザ記憶領域が形成されている装置の名称、当該装置において当該ユーザ記憶領域が形成されているドライブの名称、及び、当該ユーザ記憶領域の名称を用いて表現される。例えば、装置の名称、ドライブの名称、及び、ユーザ記憶領域の名称が、上位の階層から順に記述され、その記述を表す文字列が、パス情報として用いられる。また、当該ユーザ記憶領域が、当該ユーザ記憶領域よりも上位の階層に属する記憶領域内に形成されている場合、当該記憶領域の名称も、階層の順に従って記述される。装置は、例えば、端末装置１４やサーバ１２等である。
【００７１】
一例として、ユーザＩＤ「００１」に、パス「ＰＣ（Ａ）￥フォルダ２」が対応付けられており、ユーザＩＤ「００２」に、パス「ＰＣ（Ｂ）￥フォルダ３」が対応付けられている。ユーザＩＤ「００１」は、ユーザＡのＩＤであり、ユーザＩＤ「００２」は、ユーザＢのＩＤである。また、ＰＣ（Ａ）は、端末装置１４の一例であって、ユーザＡが利用するＰＣである。ＰＣ（Ｂ）は、端末装置１４の一例であって、ユーザＢが利用するＰＣである。なお、フォルダは、記憶領域の一例である。フォルダ２は、ユーザＡが利用するＰＣ（Ａ）の記憶部４８に形成されているユーザ記憶領域である。フォルダ３は、ユーザＢが利用するＰＣ（Ｂ）の記憶部４８に形成されているユーザ記憶領域である。例えば、各ユーザが利用するユーザ記憶領域のパス情報が、ユーザＩＤに対応付けられてユーザ管理テーブルに予め登録される。
【００７２】
なお、ユーザ管理テーブルは、画像処理装置１０の記憶部２６に記憶されてもよい。この場合、ユーザ管理テーブルは、サーバ１２の記憶部４０に記憶されていなくてもよい。
【００７３】
図６を参照して、転送先管理情報の一例について説明する。図６には、転送先管理情報の一例である転送先管理テーブルの一例が示されている。転送先管理テーブルは、画像処理装置１０の記憶部２６に記憶されている。
【００７４】
転送先管理テーブルにおいては、ボックス毎に、ボックスＩＤと転送先のパス情報とが対応付けられている。ボックスＩＤは、ボックス識別情報の一例である。転送先のパス情報は、ボックスに記憶されている未転送のファクシミリデータの転送先の所在であるパスを示す情報である。転送先のパスは、例えば、転送先の装置の名称、当該装置において、転送されたファクシミリデータが記憶される記憶領域が形成されているドライブの名称、及び、当該記憶領域の名称を用いて表現される。例えば、装置の名称、ドライブの名称、及び、記憶領域の名称が、上位の階層から順に記述され、その記述を表す文字列が、パス情報として用いられる。また、ファクシミリデータが記憶される記憶領域が、当該記憶領域よりも上位の階層に属する別の記憶領域内に記憶されている場合、当該別の記憶領域の名称も、階層の順に従って記述される。装置は、例えば、端末装置１４やサーバ１２等である。
【００７５】
一例として、ボックスＩＤ「ボックスＡ」に、パス「ＰＣ（Ａ）￥フォルダ１」が対応付けられている。ボックスＩＤ「ボックスＡ」は、ボックスＡのＩＤである。また、ＰＣ（Ａ）は、ユーザＡが利用するＰＣである。フォルダ１は、ＰＣ（Ａ）の記憶部４８に形成されている記憶領域である。なお、ボックスＡは、複数のユーザによって共有される記憶領域であってもよいし、利用が許可されたユーザのみによって利用される記憶領域であってもよい。
【００７６】
なお、１つのボックスに複数の転送先が対応付けられてもよい。例えば、ボックスＡに、ＰＣ（Ａ）￥フォルダ１とＰＣ（Ｂ）￥フォルダ４とが対応付けられてもよい。この場合、ボックスＡに記憶されている未転送のファクシミリデータは、ＰＣ（Ａ）￥フォルダ１とＰＣ￥フォルダ４とに再転送される。
【００７７】
以下、具体的な実施例を挙げて、本実施形態に係る情報処理システムによる処理について詳しく説明する。
【００７８】
（実施例１）
以下、実施例１に係る処理について説明する。
【００７９】
実施例１においては、ユーザＡが利用するＰＣ（Ａ）が、転送先の装置として設定されている。転送先のフォルダも設定されてもよい。ここでは一例として、ＰＣ（Ａ）に形成されているフォルダ１が、転送先のフォルダとして設定されているものとする。また、ファクシミリデータの転送が失敗した場合に当該ファクシミリデータが記憶される記憶領域として、ボックスＡが設定されている。これらの設定は、ユーザＡ自身によって行われてもよいし、他のユーザ（例えば管理者等）によって行われてもよい。ＰＣ（Ａ）に形成されているフォルダ１のパスを示すパス情報、及び、ボックスＡのボックスＩＤが、画像処理装置１０の記憶部２６に予め記憶されている。例えば、図６に示すように、ボックスＡのボックスＩＤと、ＰＣ（Ａ）に形成されているフォルダ１のパスとが対応付けられて、転送先管理テーブルに予め登録されている。
【００８０】
また、ユーザＡによって利用されるユーザ記憶領域として、ＰＣ（Ａ）に形成されているフォルダ２が予め登録されている。例えば、図５に示すように、ユーザＡのユーザＩＤ「００１」と、ユーザ記憶領域であるフォルダ２のパス「ＰＣ（Ａ）￥フォルダ２」とが対応付けられて、ユーザ管理テーブルに予め登録されている。
【００８１】
ファクシミリ通信部１６がファクシミリデータをファクシミリ受信すると、通信部２２は、転送制御部３６の制御の下、転送先であるＰＣ（Ａ）のフォルダ１への当該ファクシミリデータの転送を実行する。
【００８２】
ＰＣ（Ａ）の電源がオンになっており、その他、転送が失敗する原因がない場合、ファクシミリデータは、画像処理装置１０からＰＣ（Ａ）のフォルダ１に転送されて、フォルダ１に記憶される。
【００８３】
一方、ＰＣ（Ａ）の電源がオフになっている場合、ファクシミリデータはＰＣ（Ａ）によって受信されず、転送は失敗する。この場合、記憶制御部３２は、未転送のファクシミリデータをボックスＡに記憶させる。
【００８４】
以下、図７を参照して、転送が失敗した後の処理の流れについて説明する。図７には、実施例１に係る処理の流れを示すフローチャートが示されている。
【００８５】
まず、ユーザＡが画像処理装置１０にログインすると、制御部３０は、ユーザＡが画像処理装置１０にログインしたことを検知する（Ｓ０１）。例えば、ユーザＩＤとパスワードが、認証情報としてユーザによって画像処理装置１０に入力され、認証部２８は、入力された認証情報と予め登録されている認証情報とを照合することで、ユーザＡのログインを許可する、又は、許可しない。ユーザＩＤとパスワードは、ユーザＡがＵＩ部２４を操作することで画像処理装置１０に入力してもよいし、ユーザＩＤとパスワードとを記憶したＩＤカードを利用することで、ユーザＩＤとパスワードが画像処理装置１０に入力されてもよい。ここでは、ユーザＩＤ「００１」とパスワードが入力されて、ユーザＡのログインが許可されるものとする。
【００８６】
次に、転送制御部３６は、ボックスＡに記憶されている未転送のスキャンデータの数Ｎを数える（Ｓ０２）。
【００８７】
数Ｎが１以上である場合（Ｓ０３，Ｙｅｓ）、つまり、未転送のスキャンデータがボックスＡに記憶されている場合、転送制御部３６は、転送先の情報を取得する（Ｓ０４）。例えば、転送制御部３６は、画像処理装置１０の記憶部２６に記憶されている転送先管理テーブルから、ボックスＡに対応付けられているパス情報を転送先の情報として取得する。図６に示されているように、このパス情報は、転送先のパス「ＰＣ（Ａ）￥フォルダ１」を示す情報である。
【００８８】
次に、転送制御部３６は、画像処理装置１０にログインしているユーザのユーザ記憶領域情報を取得する（Ｓ０５）。例えば、転送制御部３６は、サーバ１２に記憶されているユーザ管理テーブルにアクセスすることで、又は、サーバ１２にユーザ記憶領域の取得を要求することで、ユーザ管理テーブルからユーザ記憶領域を取得する。ユーザＡが画像処理装置１０にログインしているため、転送制御部３６は、ユーザ管理テーブルから、ユーザＡのユーザＩＤ「００１」に対応付けられているパス情報をユーザ記憶領域情報として取得する。図５に示されているように、このパス情報は、ユーザ記憶領域のパス「ＰＣ（Ａ）￥フォルダ２」を示す情報である。なお、ユーザ管理テーブルが、自装置である画像処理装置１０の記憶部２６に記憶されている場合、転送制御部３６は、自装置に記憶されているユーザ管理テーブルからユーザ記憶領域情報を取得する。
【００８９】
転送先のパスに記述されている装置と、ユーザ記憶領域のパスに記述されている装置とが一致する場合（Ｓ０６，Ｙｅｓ）、処理はステップＳ０７に移行する。ここでは、転送先のパスに記述されている装置はＰＣ（Ａ）であり、ユーザ記憶領域のパスに記述されている装置もＰＣ（Ａ）であるため、両装置が一致する。ここで照合されているユーザ記憶領域のパスは、画像処理装置１０にログインしているユーザが利用するユーザ記憶領域のパスであるため、両装置が一致するということは、転送先のＰＣ（Ａ）を利用するユーザＡが、画像処理装置１０にログインしていると判定される。ユーザＡが画像処理装置１０を操作しているということは、ユーザＡが利用するＰＣ（Ａ）の電源がオンになっている可能性が高いと推測される。この場合、処理はステップＳ０７に移行する。つまり、転送先のＰＣ（Ａ）を利用するユーザＡが画像処理装置１０にログインした場合、処理はステップＳ０７に移行する。
【００９０】
ステップＳ０７においては、転送制御部３６は、転送先の装置であるＰＣ（Ａ）との通信が可能か否かを判定するための処理を実行する（Ｓ０７）。例えば、Ｐｉｎｇ等を利用することで、ＰＣ（Ａ）との通信が可能か否かが判定される。具体的には、転送制御部３６は、通信部２２に、予め定められた情報をＰＣ（Ａ）に送信させる。通信部２２が、当該情報に対する応答をＰＣ（Ａ）から受信した場合、転送制御部３６は、ＰＣ（Ａ）との通信が可能であると判定する。通信部２２が当該応答を受信しなかった場合、転送制御部３６は、ＰＣ（Ａ）との通信が可能ではないと判定する。
【００９１】
例えば、ユーザＡがＰＣ（Ａ）の電源をオンにし、その他、転送が失敗する原因がない場合、通信部２２は、上記の応答をＰＣ（Ａ）から受信し、転送制御部３６は、ＰＣ（Ａ）との通信が可能であると判定する。なお、ユーザＡ以外の他のユーザが、ＰＣ（Ａ）の電源をオンにしてもよい。一方、ＰＣ（Ａ）の電源がオンになっていない場合、通信部２２は、上記の応答をＰＣ（Ａ）から受信せず、転送制御部３６は、ＰＣ（Ａ）との通信が可能ではないと判定する。
【００９２】
ＰＣ（Ａ）との通信が可能である場合（Ｓ０７，Ｙｅｓ）、転送制御部３６は、通信部２２に、ボックスＡに記憶されている未転送のスキャンデータを、ＰＣ（Ａ）のフォルダ１に転送させる（Ｓ０８）。つまり、転送制御部３６は、通信部２２に再転送を実行させる。転送されたスキャンデータは、ＰＣ（Ａ）のフォルダ１に記憶される。
【００９３】
未転送のスキャンデータの転送が失敗した場合、つまり再転送が失敗した場合、制御部３０は、再転送が失敗したことを示す情報（例えばエラーメッセージ等）を、ＵＩ部２４の表示部に表示させてもよいし、未送信レポートを出力してもよい。
【００９４】
一方、数Ｎが１以上ではない場合（Ｓ０３，Ｎｏ）、つまり、未転送のスキャンデータがボックスＡに記憶されていない場合、再転送は行われない。
【００９５】
また、転送先のパスに記述されている装置と、ユーザ記憶領域のパスに記述されている装置とが一致しない場合（Ｓ０６，Ｎｏ）、再転送は行われない。例えば、図５に示すように、ユーザＢのユーザ記憶領域のパスには、ＰＣ（Ｂ）￥フォルダ３が記述されているため、ユーザＢが画像処理装置１０にログインした場合には、転送先のパスに記述されている装置であるＰＣ（Ａ）と、ユーザ記憶領域のパスに記述されている装置であるＰＣ（Ｂ）とは一致しない。両装置が一致しないということは、転送先のＰＣ（Ａ）を利用するユーザＡ以外の他のユーザが、画像処理装置１０にログインしていると判定される。この場合、ステップＳ０７以降の処理は実行されず、未転送のスキャンデータはＰＣ（Ａ）に転送されない。
【００９６】
また、ＰＣ（Ａ）との通信が可能ではない場合（Ｓ０７，Ｎｏ）、再転送は行われない。
【００９７】
なお、ボックスＡを作成したユーザと、画像処理装置１０にログインしているユーザとが一致する場合に、ステップＳ０４以降の処理が実行されてもよい。
【００９８】
ファクシミリデータの送信元に関わらず、ファクシミリデータは、同じ転送先（例えばＰＣ（Ａ）￥フォルダ１）に転送され、その転送が失敗した場合に、同じボックス（例えばボックスＡ）に記憶されてもよい。
【００９９】
別の例として、ファクシミリデータの送信元毎にボックスが設定され、送信元毎に転送先が設定されてもよい。例えば、送信元αにボックスＡと転送先であるＰＣ（Ａ）￥フォルダ１とが対応付けられて、これらの内容が、転送先管理テーブルに登録されてもよい。同様に、送信元βにボックスＢと転送先であるＰＣ（Ｂ）￥フォルダ３とが対応付けられて、これらの内容が、転送先管理テーブルに登録されてもよい。
【０１００】
ファクシミリ通信部１６が、送信元αからファクシミリ送信されてきたファクシミリデータをファクシミリ受信すると、通信部２２は、送信元αに対応付けられているＰＣ（Ａ）のフォルダ１にファクシミリデータを転送する。その転送が失敗した場合、当該ファクシミリデータはボックスＡに記憶される。ＰＣ（Ａ）を利用するユーザＡが画像処理装置１０にログインした場合、通信部２２は、ボックスＡに記憶されている未転送のファクシミリデータをＰＣ（Ａ）のフォルダ１に転送する。
【０１０１】
ファクシミリ通信部１６が、送信元βからファクシミリ送信されてきたファクシミリデータをファクシミリ受信すると、通信部２２は、送信元βに対応付けられているＰＣ（Ｂ）のフォルダ３にファクシミリデータを転送する。その転送が失敗した場合、当該ファクシミリデータはボックスＢに記憶される。ＰＣ（Ｂ）を利用するユーザＢが画像処理装置１０にログインした場合、通信部２２は、ボックスＢに記憶されている未転送のファクシミリデータをＰＣ（Ｂ）のフォルダ３に転送する。
【０１０２】
（実施例２）
以下、実施例２に係る処理について説明する。
【０１０３】
実施例２において、ユーザの認証は行われない。複数のユーザによって共有されるＰＣ（以下、「共有ＰＣ」と称する）が、転送先の装置として設定されている。また、ファクシミリデータの転送が失敗した場合に当該ファクシミリデータが記憶される記憶領域として、ボックスＡが設定されている。これらの設定は、例えば、管理者等のユーザによって行われる。ボックスＡのボックスＩＤと、共有ＰＣのパスを示すパス情報とが対応付けられて、転送先管理テーブルに登録されている。
【０１０４】
ファクシミリ通信部１６がファクシミリデータをファクシミリ受信すると、通信部２２は、転送制御部３６の制御の下、転送先である共有ＰＣへの当該ファクシミリデータの転送を実行する。
【０１０５】
共有ＰＣの電源がオンになっており、その他、転送が失敗する原因がない場合、ファクシミリデータは、画像処理装置１０から共有ＰＣに転送されて、共有ＰＣに記憶される。
【０１０６】
一方、共有ＰＣの電源がオフになっている場合、ファクシミリデータは共有ＰＣによって受信されず、転送は失敗する。この場合、記憶制御部３２は、未転送のファクシミリデータをボックスＡに記憶させる。
【０１０７】
また、実施例２においては、画像処理装置１０が長時間操作されていないため、画像処理装置１０の電力状態が節電状態になっているものとする。例えば、画像処理装置１０のＵＩ部２４が消灯している。
【０１０８】
以下、図８を参照して、転送が失敗した後の処理の流れについて説明する。図８には、実施例２に係る処理の流れを示すフローチャートが示されている。
【０１０９】
まず、ユーザが画像処理装置１０を操作すると、電力制御部３４は、画像処理装置１０の節電状態を解除する（Ｓ１０）。これにより、例えば、画像処理装置１０の各部に電力が供給される。例えば、ＵＩ部２４が点灯する。
【０１１０】
次に、転送制御部３６は、ボックスＡに記憶されている未転送のスキャンデータの数Ｎを数える（Ｓ１１）。
【０１１１】
数Ｎが１以上である場合（Ｓ１２，Ｙｅｓ）、つまり、未転送のスキャンデータがボックスＡに記憶されている場合、転送制御部３６は、転送先の情報を取得する（Ｓ１３）。ボックスＡには、転送先の装置である共有ＰＣが対応付けられているため、転送制御部３６は、共有ＰＣのパス情報を転送先の情報として取得する。
【０１１２】
次に、転送制御部３６は、転送先の装置である共有ＰＣとの通信が可能か否かを判定するための処理を実行する（Ｓ１４）。
【０１１３】
共有ＰＣとの通信が可能である場合（Ｓ１４，Ｙｅｓ）、転送制御部３６は、ボックスＡに記憶されている未転送のスキャンデータを、共有ＰＣに転送する（Ｓ１５）。転送されたスキャンデータは、共有ＰＣに記憶される。
【０１１４】
未転送のスキャンデータの転送が失敗した場合、つまり再転送が失敗した場合、制御部３０は、再転送が失敗したことを示す情報（例えばエラーメッセージ等）を、ＵＩ部２４の表示部に表示させてもよいし、未送信レポートを出力してもよい。
【０１１５】
一方、数Ｎが１以上ではない場合（Ｓ１２，Ｎｏ）、処理は終了する。また、ＰＣ（Ａ）との通信が可能ではない場合（Ｓ１４，Ｎｏ）、処理は終了する。
【０１１６】
（その他の実施例）
以下、その他の実施例について説明する。
【０１１７】
例えば、画像処理装置１０の通信部２２が、ファクシミリデータの転送先の装置であるＰＣ（Ａ）から情報を受信した場合、ＰＣ（Ａ）の電源はオンになっていると推測される。なお、当該情報には、転送先の装置を識別するための識別情報が含まれており、転送制御部３６は、当該識別情報に基づいて、当該情報を画像処理装置１０に送信した装置を識別する。例えば、通信部２２が、ＰＣ（Ａ）から印刷ジョブ情報を受信した場合、ＰＣ（Ａ）の電源はオンになっていると推測される。この場合、転送制御部３６は、通信部２２に、ボックスに記憶されている未転送のファクシミリデータをＰＣ（Ａ）に転送させてもよい。
【０１１８】
また、例えば、転送先の装置であるＰＣ（Ａ）が、画像処理装置１０が提供するサービスにアクセスした場合、ＰＣ（Ａ）の電源はオンになっていると推測される。この場合、転送制御部３６は、通信部２２に、ボックスに記憶されている未転送のファクシミリデータをＰＣ（Ａ）に転送させてもよい。
【０１１９】
また、例えば、画像処理装置１０にて、画像読取によって生成された画像データをＳＭＢ（Server Message Block）やＦＴＰ（File Transfer Protocol）等の通信プロトコルを利用して他の装置（例えば端末装置１４やサーバ１２等）に転送する処理を行うための操作が行われた場合、転送制御部３６は、通信部２２に、ボックスに記憶されている未転送のファクシミリデータを転送先に転送させてもよい。画像データを端末装置１４やサーバ１２等の装置に転送するような処理を行うための操作が行われた場合、ファクシミリデータの転送先の装置の電源がオンになっている確度が高いと推測されるため、転送制御部３６は、通信部２２に未転送のファクシミリデータを転送先に転送させる。転送先の装置を利用するユーザが画像処理装置１０にログインして、上記の操作を行った場合に、未転送のファクシミリデータが転送先の装置に転送されてもよい。また、画像読取によって生成された画像データの転送先の装置が、ファクシミリデータの転送先の装置と同じである場合、転送先の装置の電源がオンになっている確度は更に高くなると推測される。この場合に、転送制御部３６は、通信部２２に未転送のファクシミリデータを転送先に転送させてもよい。
【０１２０】
また、例えば、画像処理装置１０にて、画像読取や複写やファクシミリ送信を行うための操作が、特定の時間帯に行われた場合、転送制御部３６は、通信部２２に、ボックスに記憶されているファクシミリデータを転送先に転送させてもよい。特定の時間帯は、転送先の装置の電源がオンになっていると推測される時間帯である。例えば、画像処理装置１０がオフィスにて利用される場合、特定の時間帯は勤務時間帯である。
【０１２１】
また、ユーザが画像処理装置１０にログインしている状態で、通信部２２が外部装置から情報を受信した場合に、転送制御部３６は、通信部２２に、未転送のファクシミリデータを転送先に転送させてもよい。例えば、ユーザが画像処理装置１０にログインしており、画像処理装置１０の状態が、画像読取の実行指示待ちの状態である場合において、通信部２２が、ファクシミリデータの転送先の装置から画像読取の実行指示を示す情報を受信すると、画像読取が実行される。その画像読取によって生成された画像データは、例えば、転送先の装置に転送される。この場合、転送先の装置の電源はオンになっていると推測されるため、転送制御部３６は、通信部２２に、未転送のファクシミリデータを転送先の装置に転送させる。
【０１２２】
上記の画像処理装置１０、サーバ１２及び端末装置１４の各部の機能は、一例としてハードウェアとソフトウェアとの協働により実現される。具体的には、画像処理装置１０、サーバ１２及び端末装置１４は、図示しないＣＰＵ等の１又は複数のプロセッサを有している。当該１又は複数のプロセッサが、図示しない記憶装置に記憶されたプログラムを読み出して実行することで、画像処理装置１０、サーバ１２及び端末装置１４の各部の機能が実現される。上記プログラムは、ＣＤ又はＤＶＤ等の記録媒体を経由して、又は、ネットワーク等の通信経路を経由して、記憶装置に記憶される。別の例として、画像処理装置１０、サーバ１２及び端末装置１４の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、画像処理装置１０、サーバ１２及び端末装置１４の各部の機能は、ＤＳＰ（Digital Signal Processor）又はＦＰＧＡ（Field Programmable Gate Array）等によって実現されてもよい。
【符号の説明】
【０１２３】
１０  画像処理装置、１２  サーバ、１４  端末装置、１６  ファクシミリ通信部、３２  記憶制御部、３６  転送制御部。
【図１】
2020191562.tif 000003
【図２】
2020191562.tif 000004
【図３】
2020191562.tif 000005
【図４】
2020191562.tif 000006
【図５】
2020191562.tif 000007
【図６】
2020191562.tif 000008
【図７】
2020191562.tif 000009
【図８】
2020191562.tif 000010